(57)【要約】【課題】バックアップ電源の供給が不要な場合に、当該バックアップ電源の供給を停止すること。【解決手段】実施の形態の電子機器では、電源オフ時に待機用のバックアップ電源を主要回路部に供給する電源手段と、ネットワーク上の外部装置と接続可能なコネクタ手段と、前記コネクタ手段を介して前記外部装置との間で通信を行う通信手段と、前記外部装置から送信される遠隔起動信号に応じて、電源オンとする起動処理を行う起動手段と、前記コネクタ手段に前記外部装置が接続されているか否かを判定し、接続されていないと判定した場合に、前記バックアップ電源の前記主要回路部への通電を切断する通電制御手段と、を備える。【選択図】図２
2011238126.tif 000002
【特許請求の範囲】
【請求項１】
電源オフ時に待機用のバックアップ電源を主要回路部に供給する電源手段と、
ネットワーク上の外部装置と接続可能なコネクタ手段と、
前記コネクタ手段を介して前記外部装置との間で通信を行う通信手段と、
前記外部装置から送信される遠隔起動信号に応じて、電源オンとする起動処理を行う起動手段と、
前記コネクタ手段に前記外部装置が接続されているか否かを判定し、接続されていないと判定した場合に、前記バックアップ電源の前記主要回路部への通電を切断する通電制御手段と、
を備えたことを特徴とする電子機器。
【請求項２】
前記遠隔起動信号による起動を許可するか否かを定義した設定情報を記憶する記憶手段を更に備え、
前記遠隔起動手段は、前記設定情報に許可することが定義されている場合に前記起動処理を行い、
前記通電制御手段は、前記外部装置が接続されていると判定した場合であっても、前記設定情報に許可しないことが定義されていた場合には、前記バックアップ電源の前記主要回路部への通電を切断することを特徴とする請求項１に記載の電子機器。
【請求項３】
前記通信手段と前記外部装置とを間で送受信されるリンクパルスを検出する検出手段を更に備え、
前記通電制御手段は、前記検出手段の検出結果に基づいて、前記外部装置が接続されているか否かを判定することを特徴とする請求項１又は２に記載の電子機器。
【請求項４】
電源オン／オフを指示する電源スイッチを更に備え、
前記通電制御手段は、前記電源スイッチによる電源オンの指示に応じて、前記バックアップ電源の前記主要回路部への通電を開始させた後、前記起動手段に起動処理の実行を指示することを特徴とする請求項１〜３の何れか一項に記載の電子機器。
【請求項５】
前記通電制御手段は、前記バックアップ電源の電位が安定するまで待機した後、前記起動手段に起動処理の実行を指示することを特徴とする請求項４に記載の電子機器。
【請求項６】
電源オフ時に待機用のバックアップ電源を主要回路部に供給する電源手段と、ネットワーク上の外部装置と接続可能なコネクタ手段と、前記コネクタ手段を介し、前記外部装置との間で通信を行う通信手段と、を備えた電子機器のコンピュータを、
前記外部装置から送信される遠隔起動信号に応じて、前記電源オンとする起動処理を行う起動手段と、
前記コネクタ手段に前記外部装置が接続されているか否かを判定し、接続されていないと判定した場合に、前記バックアップ電源の前記主要回路部への通電を切断する通電制御手段と、
して機能させるためのプログラム。
【発明の詳細な説明】
【技術分野】
【０００１】
本発明の実施の形態は、電子機器及びプログラムに関するものである。
【背景技術】
【０００２】
ＰＣ（Personal  Computer）やＰＯＳ端末等の電子機器では、電源オフの状態であっても内部回路が動作している場合がある。例えば、外部装置から通知される起動用のパケット（マジックパケット等）に応じて起動を行う電子装置では、電源オフの状態であっても、起動用パケットを受信可能な状態（待機状態）を維持するためのバックアップ電源が供給されており、このバックアップ電源に応じた電力が待機電力として消費される。従来、この待機電力を削減するための技術が提案されており、電子機器の待機状態を維持するのに必要な最小限の電圧が供給されるよう待機電力を制御する技術が知られている。
【発明の概要】
【発明が解決しようとする課題】
【０００３】
しかしながら、従来技術においては、バックアップ電源の供給が不要な場合にあるにもかかわらず、バックアップ電源の供給が行われてしまう場合があり、待機電力の削減において改善の余地があった。
【課題を解決するための手段】
【０００４】
実施の形態の電子機器は、電源手段と、コネクタ手段と、通信手段と、起動手段と、通電制御手段と、を備えている。電源手段は、電源オフ時に待機用のバックアップ電源を主要回路部に供給する。コネクタ手段は、ネットワーク上の外部装置と接続可能なインタフェースを提供する。通信手段は、コネクタ手段を介して外部装置との間で通信を行う。起動手段は、外部装置から送信される遠隔起動信号に応じて、電源オンとする起動処理を行う。通電制御手段は、コネクタ手段に外部装置が接続されているか否かを判定し、接続されていないと判定した場合に、バックアップ電源の主要回路部への通電を切断する。
【図面の簡単な説明】
【０００５】
【図１】図１は、実施形態に係る電子装置の構成を模式的に示すブロック図である。
【図２】図２は、電子機器の電源オフ移行時における通電制御処理の手順を示すフローチャートである。
【図３】図３は、電子機器の電源オン移行時における通電制御処理の手順を示すフローチャートである。
【発明を実施するための形態】
【０００６】
図１は、本実施形態に係る電子装置の構成を模式的に示すブロック図である。電子機器１００は、ＰＣやＰＯＳ端末等であって、ＣＲＴ（Cathode  Ray  Tube）やＬＣＤ（Liquid  Crystal  Display）等の表示デバイスで構成される表示装置２００に、文字列や画像を表示する機能を有している。
【０００７】
電子機器１００は、ＣＰＵ（Central  Processing  Unit）１１と、メモリ１２と、Ｉ／Ｏコントローラ１３と、シリアルＩ／Ｏ１４と、ＲＯＭ（Read  Only  memory）１５と、ＰＣＩ１６と、ＨＤＤ（Hard  Disk  Drive）１７と、ＵＳＢ（Universal  Serial  Bus）１８と、ＣＲＴコネクタ１９と、ＡＣ電源ケーブル２０と、電源部２１と、電源コネクタ２２と、ＬＡＮコネクタ２３と、ＬＡＮコントローラ２４と、リンクパルス検出回路２５と、バックアップ電源切断回路２６と、電源スイッチ２７と、を備えている。
【０００８】
ＣＰＵ１１は、ＲＯＭ１５に記憶されたＢＩＯＳ１５１やＨＤＤ１７に記憶された所定の制御プログラムを実行し、電子機器１００を構成する各部の動作を統括的に制御する。
【０００９】
また、ＣＰＵ１１には、メモリ１２の読み出し及び書き出しを制御するメモリコントローラ１１１と、表示装置２００への表示を制御するＶＧＡコントローラ１１２とが搭載されている。ＶＧＡコントローラ１１２は、画面表示を制御する機能部であって、画面表示用の画像データを生成し、ＣＲＴコネクタ１９に出力する。メモリ１２は、主記憶装置であって、ＣＰＵ１１のワークエリアとして機能する。
【００１０】
また、ＣＰＵ１１には、入出力を制御するＩ／Ｏコントローラ１３が接続されている。ＣＰＵ１１は、Ｉ／Ｏコントローラ１３を介してバックアップ電源切断回路２６から入力される後述する起動指示信号に応じて、電源コネクタ２２から供給される後述する通常電源をオン（電源オン）とし、電子機器１００のシステムを起動する起動処理を実行する。また、ＣＰＵ１１は、Ｉ／Ｏコントローラ１３を介してバックアップ電源切断回路２６から入力される後述する終了指示信号に応じて、電子機器１００のシステムを終了（又はサスペンド）させる終了処理を実行し、電源コネクタ２２から供給される後述する通常電源をオフ（電源オフ）とする。
【００１１】
Ｉ／Ｏコントローラ１３には、シリアルＩ／Ｏ１４、ＢＩＯＳ１５１等を記憶したＲＯＭ１５、拡張バスであるＰＣＩ１６、補助記憶装置のＨＤＤ１７、外部機器を接続するためのＵＳＢ１８等が接続されている。
【００１２】
ＢＩＯＳ１５１には、電子機器１００が具備する各部の初期化処理に係るプログラムや設定情報が含まれている。例えば、電子機器１００のオフ時において、外部装置からＬＡＮコネクタ２３を介して入力される起動用のパケット（例えば、マジックパケット）に応じて、電子機器１００の起動を許可するか否かを定義した遠隔起動設定が設定情報として含まれている。
【００１３】
ＣＰＵ１１は、電子機器１００の起動時にＢＩＯＳ１５１を実行することで、ＣＰＵ１１に接続された各部を動作可能な状態に初期化する。即ち、ＣＰＵ１１は電子機器１００の起動時において、ＢＩＯＳ１５１を実行する起動手段として機能する。
【００１４】
ＣＲＴコネクタ１９には、表示装置２００が接続されている。ＣＲＴコネクタ１９は、ＶＧＡコントローラ１１２から入力される画像データを所定の同期タイミングに従い表示装置２００へ出力することで、表示装置２００に表示させる。
【００１５】
ＡＣ電源ケーブル２０は、商用電源（ＡＣ電源）に接続され、商用電源から供給される電力を電源部２１に送出する。電源部２１は、ＡＣ電源ケーブル２０を通じて入力された電力を用いて、通常電源とバックアップ電源とを電源コネクタ２２に供給する。ここで、“通常電源”は、電子機器１００のシステム起動時に供給が開始され、システムの終了（又はサスペンド）時に供給が停止される、電子機器１００の通常動作を実現させるための電源である。また、“バックアップ電源”は、ＡＣ電源ケーブル２０が商用電源に接続されている間常時供給を行う、電子機器１００の待機状態を実現させるための電源であって、通常電源よりも低い電力となっている。なお、本実施形態では、電子機器１００の電源オフ時において、遠隔起動に係る機能を維持することをバックアップ電源の主な用途としている。
【００１６】
電源コネクタ２２は、ＣＰＵ１１の制御に従い、電源部２１から供給された通常電源を、図１に示した電子機器１００の主要回路部となる各デバイスに供給する。また、電源コネクタ２２は、電源部２１から供給されたバックアップ電源を、リンクパルス検出回路２５に供給するとともに、バックアップ電源切断回路２６を介して各デバイスに供給する。
【００１７】
ＬＡＮコネクタ２３は、ＬＡＮコントローラ２４を介してＩ／Ｏコントローラ１３に接続されている。ＬＡＮコネクタ２３には、ＬＡＮケーブル３００を接続することが可能となっており、このＬＡＮケーブル３００を介して接続される他の装置（外部装置）との間で、各種の信号（リンクパルス等）や各種のデータを送受信する。
【００１８】
ＬＡＮコントローラ２４は、ＣＰＵ１１からＩ／Ｏコントローラ１３を介して入力される各種信号やデータを、ＬＡＮコネクタ２３を通じて外部装置に送信する。また、ＬＡＮコントローラ２４は、ＬＡＮコネクタ２３で受信された各種信号やデータを、Ｉ／Ｏコントローラ１３を介してＣＰＵ１１に出力する。
【００１９】
リンクパルス検出回路２５は、ＬＡＮコネクタ２３とＬＡＮコントローラ２４との間に接続されており、ＬＡＮケーブル３００に接続された外部装置からのリンクパルスを検出する。また、リンクパルス検出回路２５は、リンクパルスを検出すると検出信号として、その検出結果をバックアップ電源切断回路２６に出力する。
【００２０】
バックアップ電源切断回路２６は、ＡＳＩＣやＣＰＵ、ＲＯＭ等から構成される制御部、各デバイスへのバックアップ電源の通電／切断を行うスイッチング素子、バックアップ電源の電位を検出する電位検出部等を有して構成される（何れも図示せず）。また、バックアップ電源切断回路２６には、電子機器１００の電源オン／オフを指示するための電源スイッチ２７が接続されている。
【００２１】
バックアップ電源切断回路２６は、電子機器１００の電源オン時において、電源スイッチ２７から電源オフを指示する電源オフ信号を受け付けると、システムの終了（又はサスペンド）を指示する終了指示信号をＩ／Ｏコントローラ１３を介してＣＰＵ１１に出力する。また、バックアップ電源切断回路２６は、終了指示信号を出力すると、リンクパルス検出回路２５から入力される検出信号とＢＩＯＳ１５１の遠隔起動設定とに基づいて、各デバイスへのバックアップ電源の通電（供給）と切断とを制御する。
【００２２】
具体的に、バックアップ電源切断回路２６は、終了指示信号の出力後、リンクパルス検出回路２５から検出信号が所定時間以内に入力されない場合、ＬＡＮコネクタ２３に外部装置が接続されていないスタンドアロンの状態であると判定する。この場合、ＢＩＯＳ１５１の遠隔起動設定がオンであっても、外部装置から遠隔起動信号を受信することはないため、バックアップ電源切断回路２６は、バックアップ電源の供給は不要と判断し、各デバイスへのバックアップ電源の通電を切断する。
【００２３】
また、バックアップ電源切断回路２６は、終了指示信号の出力後の所定時間以内に、検出信号の入力を受け付けた場合、Ｉ／Ｏコントローラ１３を介してＢＩＯＳ１５１の遠隔起動設定を参照することで、遠隔起動設定が許可か否かを判定する。ここで、遠隔起動設定が不許可の場合には、ＬＡＮコネクタ２３を介して外部装置から遠隔起動信号を受信する可能性はあるが、遠隔起動信号を受信しても起動を行わない設定であるため、バックアップ電源切断回路２６は、バックアップ電源は不要と判断し、各デバイスへのバックアップ電源の通電を切断する。なお、遠隔起動設定が許可と判定した場合、バックアップ電源切断回路２６は、各デバイスへのバックアップ電源の通電を維持する。
【００２４】
さらに、バックアップ電源切断回路２６は、電子機器１００の電源オフ時において、電源スイッチ２７から電源オンを指示する電源オン信号を受け付けると、システムの起動開始を指示する起動指示信号をＩ／Ｏコントローラ１３を介してＣＰＵ１１に出力する。なお、電源オン信号の受け付け時にバックアップ電源の通電が切断されていると、Ｉ／Ｏコントローラ１３等のデバイスは動作することができないため、バックアップ電源切断回路２６は、バックアップ電源の通電を開始させた後、起動指示信号を出力する。
【００２５】
以下、図２及び図３を参照して、本実施形態の電子機器１００の動作を説明する。ここで、図２は、電子機器１００の電源オフ移行時における通電制御処理の手順を示すフローチャートである。
【００２６】
まず、バックアップ電源切断回路２６は、電源スイッチ２７から電源オフを指示する電源オフ信号を受け付けると（ステップＳ１１）、電子機器１００のシステムを終了（又はサスペンド）させる終了指示信号をＩ／Ｏコントローラ１３を介してＣＰＵ１１へ出力し、電子機器１００を電源オフ状態に移行させる（ステップＳ１２）。
【００２７】
続いて、バックアップ電源切断回路２６は、リンクパルス検出回路から入力される検出信号に基づき、ＬＡＮコネクタ２３に外部装置が接続されているか否かを判定する（ステップＳ１３）。ここで、ＬＡＮコネクタ２３に外部装置が接続されていないスタンドアロン状態と判定した場合（ステップＳ１３；Ｎｏ）、バックアップ電源切断回路２６は、各デバイスへのバックアップ電源の通電を切断し（ステップＳ１５）、本処理を終了する。
【００２８】
また、ステップＳ１３において、ＬＡＮコネクタ２３に外部装置が接続されていると判定した場合（ステップＳ１３；Ｙｅｓ）、バックアップ電源切断回路２６は、ＢＩＯＳ１５１の遠隔起動設定を参照し、この遠隔起動設定が許可か否かを判定する（ステップＳ１４）。ここで、遠隔起動設定が不許可と判定した場合（ステップＳ１４；Ｎｏ）、バックアップ電源切断回路２６は、各デバイスへのバックアップ電源の通電を切断し（ステップＳ１５）、本処理を終了する。
【００２９】
一方、ステップＳ１４において、遠隔起動設定が許可と判定した場合（ステップＳ１４；Ｙｅｓ）、バックアップ電源切断回路２６は、各デバイスへのバックアップ電源の通電を維持したまま（ステップＳ１６）、本処理を終了する。
【００３０】
図３は、電子機器１００の電源オン移行時における通電制御処理の手順を示すフローチャートである。まず、バックアップ電源切断回路２６は、電源スイッチ２７から電源オンを指示する電源オン信号を受け付けると（ステップＳ２１）、各デバイスへのバックアップ電源が切断中か否かを判定する（ステップＳ２２）。ここで、バックアップ電源を通電（供給）中と判定した場合（ステップＳ２２；Ｎｏ）、バックアップ電源切断回路２６は、起動指示信号をＩ／Ｏコントローラ１３を介してＣＰＵ１１に出力し（ステップＳ２６）、本処理を終了する。
【００３１】
一方、ステップＳ２２で切断中と判定した場合（ステップＳ２２；Ｙｅｓ）、バックアップ電源切断回路２６は、各デバイスへのバックアップ電源の通電を開始する（ステップＳ２３）。続いて、バックアップ電源切断回路２６は、バックアップ電源の電位が、各デバイスの安定動作を保証する所定値（正常電圧）に到達したか否かを判定し、正常電圧となるまで待機する（ステップＳ２４；Ｎｏ）。
【００３２】
バックアップ電源の正常電圧に到達したと判定すると（ステップＳ２４；Ｙｅｓ）、バックアップ電源切断回路２６は、さらに所定時間待機（例えば、１０秒等）した後（ステップＳ２５）、起動指示信号をＩ／Ｏコントローラ１３を介してＣＰＵ１１に出力し（ステップＳ２６）、本処理を終了する。
【００３３】
このように、本実施形態の電子機器１００では、ＬＡＮコネクタ２３に外部装置が接続されていない場合、或いはＬＡＮコネクタ２３に外部装置が接続されていても、ＢＩＯＳ１５１の遠隔起動設定が不許可の場合には、各デバイスへのバックアップ電源の供給が不要であるため、各デバイスへのバックアップ電源の通電を切断する。このため、電子機器１００の電源オフ時において、待機電力の削減を効率的に行うことができる。
【００３４】
以上、本発明の実施形態について説明したが、本発明はこれに限定されるものではなく、本発明の主旨を逸脱しない範囲での種々の変更、置換、追加等が可能である。
【００３５】
例えば、上記実施形態の通電制御処理（図２及び図３参照）は、バックアップ電源切断回路２６の制御部がＲＯＭ等に記憶されたプログラムを実行することで、ソフトウェア的に実現する形態としてもよいし、専用回路等によりハードウェア的に実現する形態としてもよい。
【００３６】
また、上記実施形態では、ＬＡＮコネクタ２３を有線型のネットワークインタフェースとしたが、これに限らず、無線型のネットワークインタフェースとしてもよい。
【符号の説明】
【００３７】
１００  電子機器
１１  ＣＰＵ
１１１  メモリコントローラ
１１２  ＶＧＡコントローラ
１２  メモリ
１３  Ｉ／Ｏコントローラ
１４  シリアルＩ／Ｏ
１５  ＲＯＭ
１５１  ＢＩＯＳ
１６  ＰＣＩ
１７  ＨＤＤ
１８  ＵＳＢ
１９  ＣＲＴコネクタ
２０  ＡＣ電源ケーブル
２１  電源部
２２  電源コネクタ
２３  ＬＡＮコネクタ
２４  ＬＡＮコントローラ
２５  リンクパルス検出回路
２６  バックアップ電源切断回路
２７  電源スイッチ
２００  表示装置
３００  ＬＡＮケーブル
【先行技術文献】
【特許文献】
【００３８】
【特許文献１】特開２０００−２３２７３１公報
【図１】
2011238126.tif 000003
【図２】
2011238126.tif 000004
【図３】
2011238126.tif 000005